(57)【要約】【課題】操作部の入力を促すと共に、移動が可能な小型の機器であっても、操作者はまぶしく感ずることなく第３者の盗み見を防止する。【解決手段】端末装置は、操作部２と、操作部の周囲に設けられたシールド部６と、シールド部で覆われシールドの照明を行なう発光部と、ＩＣカードへの読み書きを行うカード通信部５と、を備え、シールド部は、発光部からの照明によって、操作部とは反対側の明るさが操作部側の明るさより大きくなるよう構成される。シールド部は、光の散乱面を操作部側またはそれと反対側に備えてよい。そして発光部は、操作部を挟んでシールド部の端部と反対側に配置されてよい。さらに発光部は、操作部とカード通信部との間に配置されてよい。【選択図】図１
2014167823.tif 000002
【特許請求の範囲】
【請求項１】
操作部と、前記操作部の周囲に設けられたシールド部と、前記シールド部で覆われ前記シールド部の照明を行なう発光部と、を備え、
前記シールド部は、前記発光部からの照明によって、前記操作部とは反対側の明るさが前記操作部側の明るさより大きくなるよう構成された端末装置。
【請求項２】
前記シールド部は、光の散乱面を前記操作部側またはそれと反対側に備える請求項１に記載の端末装置。
【請求項３】
前記発光部は、前記操作部を挟んで前記シールド部の端部と反対側に配置される請求項２に記載の端末装置。
【請求項４】
ＩＣカードへの読み書きを行なうカード通信部をさらに備え、
前記発光部は、前記操作部と前記カード通信部との間に配置される請求項１乃至請求項３に記載の端末装置。
【請求項５】
操作部と、前記操作部の周囲に設けられたシールド部と、前記シールド部で覆われ前記シールド部の照明を行なう発光部と、を備え、前記シールド部は、前記発光部からの照明によって、前記操作部とは反対側の明るさが前記操作部の明るさより大きくなるよう構成された端末装置。
【請求項６】
前記シールド部は、光の散乱面を前記操作部側またはそれと反対側に備える請求項５に記載の端末装置。
【請求項７】
前記発光部は、前記操作部を挟んで前記シールド部の端部と反対側に配置される請求項６に記載の端末装置。
【請求項８】
ＩＣカードへの読み書きを行なうカード通信部をさらに備え、
前記発光部は、前記操作部と前記カード通信部との間に配置される請求項５乃至請求項７に記載の端末装置。
【発明の詳細な説明】
【技術分野】
【０００１】
本発明は、セキュリティを考慮した入力部を有する端末装置に関し、特にカード決済等に用いられる端末装置に関する。
【背景技術】
【０００２】
従来、銀行の自動取引装置（ＡＴＭ）あるいは商店等でのカードを用いた決済時に暗証番号を入力することが、このような場合には他人から暗証番号を盗み見られることもあるため、盗み見を防止する種々のものが用いられている。たとえば銀行のＡＴＭではタッチパネルで暗証番号を入力するものが多く見受けられるが、タッチパネルに表示する数字の配列を入力のたびごとにランダムに変化させたり、商店でのレジでのカード決済においては、入力に用いる端末装置のテンキーの周囲にプラスチック板等で簡易的な壁を作り、他人が暗証番号の入力を盗み見ることを防止している。
【０００３】
特許文献１には、銀行等の預金、引出に用いるＡＴＭを納めるブースの左右に、ＡＴＭを操作する人の前にある操作部の左右に縦に長い光源を設けて自動取引装置を照明し、同時に操作者の横から操作を覗き見ようとすると操作部左右に設けた光源からの光が目に入りやすくなるため暗証番号、通帳等の盗み見を防止するものが提示されている。また特許文献２には、タッチパネルを供えた顧客操作部に対する照明を、所定のタイミングで下げ、立ち位置にかかわらず、周囲からの覗き見を防止するものが示されている。また、ＡＴＭの操作兼表示画面は、暗証番号の入力を促すときは、暗証番号の入力を求める表示と共に数字キーが表示されたか色調、明るさが異なる画面を表示して入力を促すのが通常である。また携帯電話等の小型の機器においては、特許文献３に示すように、操作を促すため機器の操作ボタンを照明して入力を促すものがあった。
【先行技術文献】
【特許文献】
【０００４】
【特許文献１】特開平７−３２０１１３号公報
【特許文献２】特開２００７−２９３７０９号公報
【特許文献３】特開２００９−７６２９３号公報
【発明の概要】
【発明が解決しようとする課題】
【０００５】
しかしながら、操作ボタンを照明して入力を促すものは周囲にいる使用者以外のものにも押されるボタンが容易に視認されるため、暗証番号等の入力をするものには使用できなかった。また、銀行のＡＴＭ等では盗み見ることを防止するため、操作部近くの照明をコントロールするものは、装置が据え置き型の銀行ＡＴＭなどでないと構成ができず、覗き見防止の効果もないため、移動可能な小型機器には適用できなかった。さらに引用文献１、引用文献２に示したものは、覗き見を防止するために表示部の明るさ、周囲の明るさを相対的に制御するため、操作者にとっても眩しさが生じて操作がしづらくなる可能性があった。さらに装置全体も大掛かりになってしまうものであった。
【０００６】
※出願時の０００５、０００９
本発明は、このような問題を解決するためになされたもので、その目的は操作部の入力を促すと共に、移動が可能な小型の機器であっても、第３者の盗み見を防止する端末装置を提供することにある。
【課題を解決するための手段】
【０００７】
このような課題を解決するため本願の端末装置は、操作部と、前記操作部の周囲に設けられたシールド部と、前記シールド部で覆われ前記シールド部の照明を行なう発光部と、を備え、前記シールド部は、前記発光部からの照明によって、前記操作部とは反対側の明るさが前記操作部側の明るさより大きくなるよう構成される。
【０００８】
この構成により、相対的に暗い操作者の手元（すなわち、シールド部の内側にある操作部）を覗き見ようとするものに対し、内部より明るいシールド部が覗き見をしようとするものの目に入る。このため、覗こうとする者の虹彩が眩しさで絞られて操作部は暗く見えるため、操作者の指の動きを見難くし、操作を見ることが難しくなる。そして、操作者はまぶしく感ずることなく入力することができる。したがって、操作者への入力を促すと共に、移動が可能な小型の機器であっても、第３者の盗み見を防止することができる。
【０００９】
前記シールド部は、光の散乱面を前記操作部側またはそれと反対側に備えてよい。
【００１０】
この構成により、シールド部の外側は均一に明るく、シールド部の端まで均一に光る。そして、シールド部の内側には操作部へ光を乱反射させ、光が全反射せずに、操作部は間接的に照明される。したがって、操作者への入力を促すと共に、移動が可能な小型の機器であっても、操作者はまぶしく感ずることなく第３者の盗み見を防止することができる。
【００１１】
前記前記発光部は、前記操作部を挟んで前記シールド部の端部と反対側に配置されてよい。
【００１２】
この構成により、シールドで反射されたＬＥＤの光は操作者の目線方向には向かわず、操作者はさして眩しさを感じない。したがって、操作者への入力を促すと共に、移動が可能な小型の機器であっても、操作者はまぶしく感ずることなく第３者の盗み見を防止することができる。
【００１３】
前記ＩＣカードへの読み書きを行なうカード通信部をさらに備え、前記発光部は、前記操作部と前記カード通信部との間に配置されてよい。
【００１４】
この構成により、カードをかざす操作中にも確認しやすいので、操作者への入力を促すと共に、移動が可能な小型の機器であっても、操作者はまぶしく感ずることなく第３者の盗み見を防止することができる。
【００１５】
本願の端末装置は、操作部と、前記操作部の周囲に設けられたシールド部と、前記シールド部で覆われ前記シールド部の照明を行なう発光部と、を備え、前記シールド部は、前記発光部からの照明によって、前記操作部とは反対側の明るさが前記操作部の明るさより大きくなるよう構成されてもよい。
【００１６】
この構成により、相対的に暗い操作者の手元（すなわち、シールド部の内側にある操作部）を覗き見ようとするものに対し、内部より明るいシールド部が覗き見をしようとするものの目に入る。このため、覗こうとする者の虹彩が眩しさで絞られて操作部は暗く見えるため、操作者の指の動きを見難くし、操作を見ることが難しくなる。そして、操作者はまぶしく感ずることなく入力することができる。したがって、操作者への入力を促すと共に、移動が可能な小型の機器であっても、第３者の盗み見を防止することができる。
【００１７】
前記シールド部は、光の散乱面を前記操作部側またはそれと反対側に備えてよい。
【００１８】
この構成により、シールド部の外側は均一に明るく、シールド部の端まで均一に光る。そして、シールド部の内側には操作部へ光を乱反射させ、光が全反射せずに、操作部は間接的に照明される。したがって、操作者への入力を促すと共に、移動が可能な小型の機器であっても、操作者はまぶしく感ずることなく第３者の盗み見を防止することができる。
【００１９】
前記前記発光部は、前記操作部を挟んで前記シールド部の端部と反対側に配置されてよい。
【００２０】
この構成により、シールドで反射されたＬＥＤの光は操作者の目線方向には向かわず、操作者はさして眩しさを感じない。したがって、操作者への入力を促すと共に、移動が可能な小型の機器であっても、操作者はまぶしく感ずることなく第３者の盗み見を防止することができる。
【００２１】
前記ＩＣカードへの読み書きを行なうカード通信部をさらに備え、前記発光部は、前記操作部と前記カード通信部との間に配置されてよい。
【００２２】
この構成により、カードをかざす操作中にも確認しやすいので、操作者への入力を促すと共に、移動が可能な小型の機器であっても、操作者はまぶしく感ずることなく第３者の盗み見を防止することができる。
【発明の効果】
【００２３】
本発明の入力装置および端末装置はこのような問題を解決するためのもので、操作者に入力を促すと共に、移動が可能な小型の機器であっても、操作者はまぶしく感ずることなく操作部を覗き見しようとするものに対しては覗き見困難なセキュリティ性の高い端末を実現することができるものである。
【図面の簡単な説明】
【００２４】
【図１】本発明の実施例１における端末装置の外観を示す図
【図２】本発明の実施例１における端末装置のＬＥＤ光源の位置を示す図
【図３】本発明の実施例１における端末装置の図２に示すＡＡ’断面を示す図
【図４】本発明の実施例１の構成を示す図
【図５】本発明の実施例１での動作を示すフロー図
【図６】本発明のすべての実施例における操作部が見える範囲を示す図
【図７】本発明の実施例２における端末装置の外観を示す図
【図８】本発明の実施例３における端末装置の外観を示す図
【図９】本発明の実施例３における端末装置の断面を示す図
【図１０】本発明の実施例の形態４における端末装置の外観を示す図
【発明を実施するための形態】
【００２５】
本願発明を実施するための形態を図面とともに説明する。
【実施例１】
【００２６】
本実例では、卓上での使用、あるいは手持ちで暗証番号等を入力できる端末装置について図１から図５を用いて説明する。
【００２７】
まず、端末装置４の外観を図１に示す。この図１において、端末装置４の筐体１は上筐体と下筐体とよりなる。端末装置４の操作者に近い部分に、暗証番号等を入力する操作部２が設けてある。操作部２の周囲にはＬＥＤ４１Ａ、４１Ｂを光源として光り、操作部２にあるキーへの入力を光により操作者に促すと同時に、第３者の覗き見を防止するシールド６が設けてある。操作者はこの携帯端末（ピンパット）４を卓上に置き、または片手で保持して入力動作をおこなう。
【００２８】
本実施例の端末装置の構成を図４に示す。端末装置はカードの決済時に暗証番号等を入力するのに用いる小型のもので、筐体内５１にデータ、プログラムを保管する記憶部８１、外部の通信ネットワーク８６に接続して決済センタ８７と通信を行なう外部通信部８２、筐体の表面に設置する入力部２およびカード通信部５、操作者から確認できる表示部３、表示部を覆いＬＥＤ４１Ａ、ＬＥＤ４１Ｂの光を受けて端末装置外部、操作部を照らすシールド６を有する。シールド６は左側面６Ｌ、右側面６Ｒ、上面６で構成されている。
【００２９】
また表示部３は操作者から確認しやすい位置、ＩＣカードへの読み書きを行なうカード通信部５は、カードをかざす操作中にも確認しやすいように、操作者から見て操作部２、表示部３、カード通信部５の順で配置されている。シールドを光らす光源となるＬＥＤ４１はシールドの近傍で指の影がシールドに映りこまない位置に配置する。図２に示す位置では光の光軸中心をシールド端面２１、端面２２の少し内側に向けている。このほかのＬＥＤの位置としては操作部の縁のシールドの近くなどが好ましい。シールド６に光はシールド照明であるＬＥＤ４１を制御部８３が制御して光らす。ここでは、覗き見を防止する明るさに、あるいは入力を促す明るさに、また操作に適する明るさに適宜、制御部８３が制御するものとする。これらの制御プログラム、また、制御、通信に必要な情報は記憶部８１に格納される。また制御部は端末装置４の構成の一切を制御する。
【００３０】
また端末装置４は商品販売金額をキャッシュレジスタであるポイント、オブセールス機器（ＰＯＳ）８５からカードで決済すべき販売金額が第２外部通信部８４を通じて受け取る。端末装置４はＰＯＳから決済する金額、必要であれば使用するカード情報を受け取ると、表示部３にこれらの情報を表示する。使用者は表示部３に表示される決済金額を確認し、金額が正当であれば非接触ＩＣカード（図示せず）をカード通信部５にかざす。端末装置４は決済に必要な情報をＩＣカードから読み取り、通信網８６を介して決済センタ８７と通信して決済を行なうが、決済可能なカードであることが決済センタ８７との通信、あるいは記憶部８１内のブラックリストとの照合により、決済が可能であれば表示部に暗証番号の入力を促す。このとき、暗証番号の入力を求める表示と連動してシールド６の照明を開始しても良い。また操作部２のキー押下げごとに表示部３に「＊」を表示して、入力を受け付けていることを操作者に示すのが好ましい。
【００３１】
端末の動作を図５を用いて詳細に説明する。まず端末４の電源が入ると装置内を初期化する（ＳＴ１）、この時点ではシールドの光はオフ（ＯＦＦ）であるが、ここでシールドを弱く光らしてもよい、端末装置はシールドの光をオフか弱く光らすかを選択する（ＳＴ２）。電源オフは作業終了時、あるいは閉店時の操作であり（ＳＴ３）、通常はＩＣカードを待つ待機モードになる、このときＰＯＳ８５からの信号（ＳＴ１３）でＩＣカードの待機を開始してもよい（ＳＴ４）。ＩＣカードがかざされＩＣカードと通信を行なう（ＳＴ４）と、ＩＣカードによっては暗証番号の入力の操作が必要になる（ＳＴ５）。操作が必要になると制御部８３はシールド６を点灯する。あるはシールド６がすでに弱く点灯している場合にはシールド６の照明を強くする（ＳＴ６）。暗証番号の入力桁数がすべて入力されると入力完了と制御部８３が判断し（ＳＴ８）、シールド６の光を消灯する。キー入力完了の判断は、このほかにも実行キーが押されたこと、ＰＯＳからの信号等を用いてもよい。
【００３２】
暗証番号を操作者が忘れた場合はタイマーで所定時間が経過したときに待機モードまで強制的に戻す（ＳＴ１１）。暗証番号を得た端末はこれを暗号化して外部通信部８２より通信網８６を通じて決済センタ８７に送出し決済センタ８７は暗証番号が正しければ決済処理をおこない通信網８６を介して端末４に結果を返す（ＳＴ９）。決済センタ８７との通信は各決済に必須ではなく、制御部８３がカードに記載された残金をカード通信部５で読み取り、記憶部８１にある取引できないカードのリストを参照したのち、読み取った残金から決済金額を差し引き、カードにカード通信部５から書き込んで決済を完了して、１日の業務完了時に決済センタ８７へ送信してもよい。業務終了時は決済が中途とならないように待機モード（ＳＴ２９から電源を切る（ＯＦＦする）。
【００３３】
ここでシールドの詳細について説明する。シールド６は半透明で内部表面を曇りガラス状に処理している。このシールドを照明するＬＥＤ４１Ａおよび４１Ｂを図２および図３に示す位置に設け、これらのＬＥＤは放射光の一番強い部分をシールド６の手前（操作者側、図１にあっては左側）のシールド端面２１、２２付近に向けられている。
【００３４】
また、シールド６の内側には表面に縦の凹凸を設けて操作部へ光を乱反射させ、操作部が均等に照明されるようにしている。このため、シールドへ入射した光は散乱して曇りガラス状の表面から放出されるため、シールドの外側は均一に明るくなる。さらに、フルネルレンズ状にシールドの内側を加工し、ＬＥＤ４１Ａ、４１Ｂの配置と合わせてシールドの端部近傍がより明るくなるようにすればさらに効果的である。シールド上部６ｃはシールド自体を透明な部材で作成することにより、シールド第１側面６Ｒ、シールド第２側面６Ｌに入った光がシールド内での反射により上部にも導かれてシールド上部６ｃが光るように構成しても良いし、図には示していないがＬＥＤ４１Ａ、ＬＥＤ４１Ｂと同様なものをシールド上部６ｃの根元に設けてもよい。
【００３５】
このように構成したシールドは図６に示す可視範囲より下からは操作部を見ることができず、覗き見防止の効果を有する。可視範囲限界１０は左右からの覗き見に対して特に配慮するのが好ましいため操作者側にせり上がった形状としている。
【００３６】
シールド６の内部に存在する操作部２は、ＬＥＤ４１Ａ、４１Ｂの光が曇りガラス状のシールド６の外側表面で反射されて間接的に照明されるため、指の影が発生しにくく、またソフトに手元を照らすため、操作者にとって好適である。ＬＥＤの光を受けるシールドの内側の部分は、光の全反射が生じないようにＬＥＤからの光の入射角が小さくなるようなのこぎり形状とするのが好ましい。また、ＬＥＤを正面より外向きに向けているため相対的に操作者の手元より強い光がシールドの外部に放射され、相対的に暗い手元を覗き見ようとすると内部より明るいシールドが目に入るようにしている。このため覗こうとする者の虹彩が絞られて操作部は暗く見えるため操作を見ることが難しくなる。
【００３７】
シールドは、外部からの視線から操作する指を隠すものであるから、シールドを構成する面は図１、図２に示すように、シールド６の各シールド端面２１、２２、２３が操作者の目の方向に向いている。このためシールドで反射されたＬＥＤの光は操作者の目線方向には向かわず、操作者はさして眩しさを感じない。
【００３８】
本実施例が示すように、操作部のシールドで覆われた狭い範囲の明るさとシールドの明るさとに差をつけるため、装置全体をコンパクトにでき、可搬が可能な機器にも搭載できる。さらに明るいシールドが操作部のすぐ近くにコンパクトにまとまっているため、従来のものと比較しても、より高い覗き見防止の効果が期待できるとともにシールドの照明で操作部を示すため操作部への入力を促すこともできる。
【実施例２】
【００３９】
実施例２には、表示部３Ｂもシールド６の内部に設置した場合でこの場合の端末装置の外観を図７に示す。表示部以外の構成は実施例１と同様である。この場合は表示部３Ｂがシールドの奥に設置されるため、入力した暗証番号等を表示しても盗み見られることがないため、入力した暗証番号等の情報を表示部３Ｂに表示して誤入力がないかを操作者が確認してから入力を決定することも可能であり、この構成にすれば入力ミスを低減することができる。
【実施例３】
【００４０】
実施例３にはシールド６に導光板６１を設けたものを図８、図９に示す。導光板６１は光の全反射を利用してシールドの末端までＬＥＤ４１Ｃ、４１Ｄの光を届かせるもので、光の届きにくいシールド６のシールド端面２１、２２付近を明るく照らすのに有効である。またＬＥＤ４１Ｃ、４１Ｄからの光が導光板６１の端面にほぼ垂直に入るため、光の入り口で全反射を起こしにくく、効率よくシールド６を光らすことができる。
【００４１】
図８、図９において、導光板６１を有するシールド６以外の構成は実施例１と同様である。図７は図６に示す切断面ＢＢ´で切断した断面を上から見たものである。ここで、導光板６１はＬＥＤからの光の放射角に合わせてシールド６の端部（操作者側の端部）に向けて上下方向に広くしていて、端部近傍では導かれた光がシールド６の外側にむけて発散されるように図６に示すような斜面を設けてあり、全体は鏡面仕上げされて光が全反射し易いようにしている。
【００４２】
導光板６１およびシールド６の内部（操作部側）は光が全反射するように鏡面仕上げがされているが、シールド６の外側は曇りガラス状に処理がされているため全反射がおこらず、導かれた光の一部が外に放出されるため、シールド全体は光源から遠いところまで全反射で導かれた光が放出されるためシールド６の端まで均一に光るため、外部からの覗き見を有効に防止する。操作部側の照明は外部の曇りガラス状の表面から内部に漏れてくる光で適度に照明されるが、導光板の一部を曇りガラス状に加工すれば、その部分は光が全反射せずに漏れてくるため、手元の照明とすることもできる。
【実施例４】
【００４３】
また、図１０に示すように、シールドの内側にエレクトロルミネッセンス発光体（ＥＬ発光体）を貼ってシールド全体を光らせるものとした場合を示す。ＥＬ発光体６２、６３は発光面が一様な光量で光るため任意の場所を任意の明るさで光らすことができる。また、光量も印加する電圧、周波数で容易に制御できるため、構造が単純で周囲の明るさに容易に適合するシールドを得ることができる。図１０ではシールド６の外部に向けて発光するＥＬ発光体６２、内部に向けて発光するＥＬ発光体６３等のシールドを設けており、制御部からの信号で光を増減する点は上述の実施例に示すＬＥＤと同様である。ＥＬ発光体以外の構成以外は実施例１と同様である。上述のほかに、青色発光ダイオード、紫外発光ダイオード等を蛍光物質を仕込んだシールドにあててシールド自体を発光させる構成とすることも好ましい。
【産業上の利用可能性】
【００４４】
以上のように、本発明は、操作者への入力を促すと共に、移動が可能であっても、操作者はまぶしく感ずることなく第３者の覗き見を有効に防止するため、セキュリティを考慮したカード決済等に用いられる入力装置あるいは決済を行なう端末装置を提供することができる。
【符号の説明】
【００４５】
１    筐体
２    操作部
３    表示部
４    端末装置
５    カード通信部
６    シールド
４１Ａ    ＬＥＤ
４１Ｂ    ＬＥＤ
１０    可視範囲限界
２１    シールド端面
２２    シールド端面
６１    導光板
６２    エレクトロルミネッセンス発光体
６３    エレクトロルミネッセンス発光体
【図１】
2014167823.tif 000003
【図２】
2014167823.tif 000004
【図３】
2014167823.tif 000005
【図４】
2014167823.tif 000006
【図５】
2014167823.tif 000007
【図６】
2014167823.tif 000008
【図７】
2014167823.tif 000009
【図８】
2014167823.tif 000010
【図９】
2014167823.tif 000011
【図１０】
2014167823.tif 000012